(57)【要約】【課題】風向変更羽根に結露が起こり難い空気調和機を提供する。【解決手段】熱交換機(図示せず)で熱交換された空気を吹き出す吹出口(図示せず)に、上下方向に風向を変更する上下風向変更羽根１３を設け、前記上下風向変更羽根１３の上面１３ａの少なくとも上流側に略円弧状の厚肉部１３ｂを設けたもので、冷やされた空気と上下風向変更羽根１３の上面１３ａとの接触が厚肉部１３ｂで低減され、上下風向変更羽根１３への結露を抑制することができる。【選択図】図２
2005098648.tif 000002
【特許請求の範囲】
【請求項１】
熱交換器と、外気を取り入れそれを前記熱交換機に送るファンと、前記熱交換機で熱交換された空気を吹き出す吹出口と、前記吹出口に設けられ上下方向に風向を変更する上下風向変更羽根を備え、前記上下風向変更羽根の上面の少なくとも上流側に略円弧状の厚肉部を設けたことを特徴とする空気調和機。
【請求項２】
上下風向変更羽根の上面の下流側に略円弧状の厚肉部を設けたことを特徴とする請求項１記載の空気調和機。
【請求項３】
熱交換器と、外気を取り入れそれを前記熱交換機に送るファンと、前記熱交換機で熱交換された空気を吹き出す吹出口と、前記吹出口に設けられ上下方向に風向を変更する上下風向変更羽根を備え、前記上下風向変更羽根の下面の少なくとも上流側に略円弧状の厚肉部を設けたことを特徴とする空気調和機。
【請求項４】
上下風向変更羽根の下面の下流側に略円弧状の厚肉部を設けたことを特徴とする請求項３記載の空気調和機。
【請求項５】
上下風向変更羽根の上面又は下面の少なくとも一方に、厚肉部とは別に凸部を設けたことを特徴とする請求項１〜４のいずれか１項記載の空気調和機。
【発明の詳細な説明】
【技術分野】
【０００１】
本発明は、空気調和機に関するもので、特に、空気調和機本体から排出される風の向きを上下方向に変更する風向変更羽根に関するものである。
【背景技術】
【０００２】
従来の空気調和機について、図４を用いて説明する。
【０００３】
図において、１は、床置形空気調和機の本体で、前面下部に設けられた吸込口２、前面上部に設けられた吹出口３、本体背面を形成するリアパネル４、本体前面のフロントパネル５等で構成されている。６はリアパネル４の下部に取り付けられたケーシングで、このケーシング６の内部に、リアパネル４で支持されたモータ７が収納されると共に、モータ７の回転軸にはファン８が装着されている。
【０００４】
６ａは本体吸込口２に対向して設けられたケーシング吸込口、６ｂは本体内上部に向かって開口するケーシング吹出口、９はケーシング６の上方に位置すると共に、上部がリアパネル４側に傾斜して配設された熱交換器である。
【０００５】
吹出口３には、吹出口３の略全幅に渡って設けられ、吹出風の風向を上下方向に変更する上下風向変更羽根１１が複数設けられ、その背後には、吹出口３の縦方向ほぼ全長に渡って設けられ左右方向に風向を変更する左右風向変更羽根１２が設けられている。
【０００６】
本体１の冷房運転時には、ファン８により、前面下部に設けられた吸込口２から吸い込まれた空気は、本体１の背面内側壁に沿って上方に流れ、熱交換器９の背面側から送りこまれ、熱交換器９で熱交換されて冷却された空気は、左右風向変更羽根１２、上下風向変更羽根１１を通って、吹出口３から吹き出される。その際、吹出口３の先端部近傍に配置されている上下風向変更羽根１１の傾き方向に冷たい空気が吹き出される（例えば、特許文献１乃至３参照）。
【特許文献１】特開平１０−２４６５０２号公報
【特許文献２】特開平６−２８８６０５号公報
【特許文献３】特開平９−２５０８０４号公報
【発明の開示】
【発明が解決しようとする課題】
【０００７】
しかしながら、従来の床置形の空調機調和機の吹出口３が上下方向に長いため、図５に示すように上下風向変更羽根１１の上面部１１ａと下面部１１ｂとの間で温度差が生じやすく、その結果、特に多湿条件下で上下風向変更羽根１１に結露が起こりやすいといった課題を有していた。従来このような結露を防止するために、上下風向変更羽根１１の上面１１ａあるいは下面１１ｂに植毛を施すという方法もあったが、コストアップ、意匠面で制約を受けるなどの課題を有していた。
【０００８】
本発明はこのような従来の課題を解決するものであり、上下風向変更羽根の結露防止を確実にかつ安価に行うことのできる空気調和機を提供することを目的とするものである。
【課題を解決するための手段】
【０００９】
上記従来の課題を解決するために本発明の空気調和機は、熱交換機で熱交換された空気を吹き出す吹出口に、上下方向に風向を変更する上下風向変更羽根を設け、前記上下風向変更羽根の上面の少なくとも上流側に略円弧状の厚肉部を設けたもので、冷やされた空気と上下風向変更羽根の上面との接触が厚肉部で低減され、上下風向変更羽根への結露を抑制することができる。
【発明の効果】
【００１０】
本発明の空気調和機は、上下風向変更羽根への結露が少なく、また滴下も少ないので、快適に使用することができる。
【発明を実施するための最良の形態】
【００１１】
第１の発明は、熱交換器と、外気を取り入れそれを前記熱交換機に送るファンと、前記熱交換機で熱交換された空気を吹き出す吹出口と、前記吹出口に設けられ上下方向に風向を変更する上下風向変更羽根を備え、前記上下風向変更羽根の上面の少なくとも上流側に略円弧状の厚肉部を設けたもので、冷やされた空気と上下風向変更羽根の上面との接触が厚肉部で低減され、上下風向変更羽根への結露を抑制することができる。
【００１２】
第２の発明は、上下風向変更羽根の上面の下流側に略円弧状の厚肉部を設けたもので、冷やされた空気と上下風向変更羽根の上面との接触をさらに抑制し、かつ、上面に結露した際の滴下を防止することができる。
【００１３】
第３の発明は、上下風向変更羽根の下面の少なくとも上流側に略円弧状の厚肉部を設けたもので、冷やされた空気と上下風向変更羽根の下面との接触が厚肉部で低減され、上下風向変更羽根への結露を抑制することができる。
【００１４】
第４の発明は、上下風向変更羽根の下面の下流側に略円弧状の厚肉部を設けたもので、冷やされた空気と上下風向変更羽根の下面との接触をさらに抑制し、かつ、下面に結露した際の滴下を防止することができる。
【００１５】
第５の発明は、上下風向変更羽根の上面又は下面の少なくとも一方に、厚肉部とは別に凸部を設けたもので、冷やされた空気と凸部を設けた面での接触をさらに抑制し、かつ、結露した際の滴下をさらに防止することができる。
【００１６】
以下、本発明の実施の形態について、図面を参照しながら説明する。なお、この実施の形態によって本発明が限定されるものではない。
【００１７】
（実施の形態１）
以下、本発明の第１の実施の形態における空気調和機の上下風向変更羽根について、図１、２を用いて説明する。なお、空気調和機の本体１の部分は、従来例と同一なので、その説明は省略する。
【００１８】
図１は、本実施の形態の上下風向変更羽根１３の正面図、図２は、図１のＡ−Ａ断面図である。図２において、上下風向変更羽根１３の上面１３ａの上流側、下流側のそれぞれに円弧状の厚肉部１３ｂ、１３ｃが設けられている。さらに上下風向変更羽根１３の下面１３ｄの上流側、下流側のそれぞれに同様の厚肉部１３ｅ、１３ｆが設けられている
上記構成により、冷房運転時の冷風は、矢印で示されるように、厚肉部１３ｂ、１３ｃ、１３ｅ、１３ｆにより上下変更羽根１３の上面１３ａ、下面１３ｄから剥離されるように、すなわち両面への冷風の接触が抑制されるように流れる。
【００１９】
以上のように本実施の形態によれば、上面１３ｃ、下面１３への結露を著しく減少させる事ができる。
【００２０】
なお、上記実施の形態では、厚肉部を上下風向変更羽根１３の上面１３ａ、下面１３ｄの両面に設けたが、少なくとも一方に設ければ、その面での冷風の接触が抑制される効果はある。また、意匠性を考慮すると下面１３ｄに設けると良い。また、上下風向変更羽根１３の上面１３ａ、下面１３ｄに沿う流れが両面で乱れないようにするためには、上記実施の形態のように両面に配置することが好ましい。
【００２１】
また、厚肉部１３ｂ、１３ｅのように、空気の流れ方向で上流側に配設したほうが上面１３ａ、下面１３ｄに沿う空気を剥離させる効果が大きく、従って結露の可能性も大きく低下させるので好適である。
【００２２】
また上下風向変更羽根１３の下流側に厚肉部１３ｃ、１３ｆを設けることにより、冷やされた空気と上面１３ａ及び下面１３ｄとの接触をさらに抑制し、かつ、万一上面１３ａ、下面１３ｄに結露しても、その滴下を防止することができる。
【００２３】
また、上下風向変更羽根１３の上面１３ａ、下面１３ｄへの冷風の接触をさらに抑制するために、図３に示すように、上面１３ａ、下面１３ｄの一部にさらに凸部１３ｇ、１３ｈを設けると、冷風が矢印のように流れ、結露防止効果は大である。
【産業上の利用可能性】
【００２４】
以上のように、本発明にかかる空気調和機は、吹出口に設けた風向変更羽根への結露を確実に防止できるので、空調機器、冷凍・冷房機器分野で広く適用できる。
【図面の簡単な説明】
【００２５】
【図１】本発明の第１の実施の形態を示す空気調和機の上下風向変更羽根の正面図
【図２】図１のＡ−Ａ断面図
【図３】同形態の他の例を示す図１のＡ−Ａ断面図
【図４】従来の例を示す空気調和機の断面図
【図５】同空気調和機の上下風向変更羽根の縦断面図
【符号の説明】
【００２６】
１    本体
２    吸込口
３    吹出口
６    ケーシング
８    ファン
１１    上下風向変更羽根
１２    左右風向変更羽根
１３    上下風向変更羽根
１３ａ    上面
１３ｂ、１３ｃ、１３ｅ、１３ｆ    厚肉部
１３ｄ    下面
１３ｇ、１３ｈ    凸部
【図１】
2005098648.tif 000003
【図２】
2005098648.tif 000004
【図３】
2005098648.tif 000005
【図４】
2005098648.tif 000006
【図５】
2005098648.tif 000007